(57)【要約】【課題】  非常に簡単に脱着することができ、且つそれ自身装飾的効果のある装飾用留め金具を提供する。【解決手段】  環状体１ａで構成され、その環状体本体１の一部に、互いに突き合わせるように切り欠き先端辺２ａ、２ｂが形成されることで、切り欠き部２が備えられており、その切り欠き部２の各切り欠き先端辺２ａ又は２ｂが、水平方向から見て、該切り欠き先端辺２ａ又は２ｂを中心として本体１に向けて放射状の線を描くように形成されている。【選択図】        図２
0003106570.tif 000002
【実用新案登録請求の範囲】
【請求項１】
環状体で構成され、その環状体本体の一部に、互いに突き合わせるように切り欠き先端辺が形成されることで、切り欠き部が備えられており、その切り欠き部の各切り欠き先端辺が、本体水平方向から見て、該切り欠き先端辺を中心として本体に向けて放射状乃至放物線状の線を描くように形成されたことを特徴とする装飾用留め金具。
【請求項２】
上記環状体は、本体平面方向から見て、円形を含む多角形状に構成されたことを特徴とする請求項１記載の装飾用留め金具。
【考案の詳細な説明】
【技術分野】
【０００１】
本考案は、ネックレスチェーン等の留め金具として用いられると共に、それ自身も装飾用の対象となる装飾用留め金具に関する。
【背景技術】
【０００２】
これまでネックレス等の装飾品では、特にチェーン状に輪になって身体にそれを纏う場合、最終的に身体に巻き付けた後、例えば図８に示すように、装飾用留め金具の組５、６が用いられている（後述する特許文献１及び２参照）。その組の一方の留め金具５の構成は、一部が大きく開いたＣ状の環状の中空金具本体５ａで構成されており、その中空内に収納されて且つ該環状と略同様なＲを有し、その中空内を摺動し、通常は内部の弾性体によりＣ状に開いた部分５ｃを閉じるように突出可能な閉鎖片５ｂを備えたもので構成されている。それに留められるもう一方の留め金具６は、同図に示すように、平たい片の一方がチェーン３等に係止され、他方に上記Ｃ状に開いた部分５ｃに突出する閉鎖片５ｂに留め置かれる係止孔６ｂが備えられた状態で構成されている。そしてＣ状に開いた部分５ｃから中空金具本体５ａにこの係止孔６ｂが引っかけられ、上記閉鎖片５ｂを突出せしめてＣ状部分５ｃを閉じるようにすることで、輪状に係止され、身体に該チェーン３などが装着されることになる。
【０００３】
また図９に示すように、一方が上方に向けてスプリングバックして広がるような弾性片７で構成され、また他方が該弾性片７が縮められている状態で内方に挿入できる程度の挿入口８ａを備えた係止本体８で構成されており、該弾性片７が挿入されてスプリングバックして広がった際に該弾性片７が内部の係止面部で拘束されて、係着されることになる（後述する特許文献３参照）。
【特許文献１】実用新案登録第３０００１１１号  特に図８参照
【特許文献２】実用新案登録第３０００１１２号  特に図３参照
【特許文献３】実開平７−３０７２９号  特に図１参照
【考案の開示】
【考案が解決しようとする課題】
【０００４】
しかし、図８のような構成では、中空金具本体５ａから閉鎖片５ｂを後退させて、Ｃ状に開き、そこへもう一方の留め金具の係止孔６ｂが位置した際に、上記閉鎖片５ｂをの拘束を解き、弾性体の弾性により閉鎖片５ｂを突出せしめてＣ状部分５ｃを閉じるようにしなければ、係止することができない。特に首の後ろ側で上記のような操作をしようとすると、手探りで行わなければならず、非常にし辛いという問題があった。
【０００５】
また図９のような構成でも、弾性片７を、係止本体８の挿入口８ａに挿入しなければならず、首の後ろ側でそのような操作をするのは非常に困難であった。
【０００６】
本考案は、以上のような問題に鑑み創案されたもので、非常に簡単に脱着することができ、且つそれ自身装飾的効果のある装飾用留め金具を提供せんとするものである。
【課題を解決するための手段】
【０００７】
そのため本考案に係る装飾用留め金具は、後述する図１に示されるように、環状体１ａで構成され、その環状体本体１の一部に、互いに突き合わせるように切り欠き先端辺２ａ、２ｂが形成されることで、切り欠き部２が備えられており、その切り欠き部２の各切り欠き先端辺２ａ又は２ｂが、本体水平方向から見て、該切り欠き先端辺２ａ又は２ｂを中心として本体１に向けて放射状乃至放物線状の線を描くように形成されたことを基本的特徴としている。
【０００８】
上記構成によれば、２つの本考案に係る装飾用留め金具が、図２に示すように、両者の切り欠き部２を夫々向かい合わせに、且つ環状本体１の環状を描く面を含む平面が互いに直交するように、突き合わされることで、丁度、それまで別々であった知恵の輪のリングがすっと互いのリング中に自分のリングが入り込んでしまうように、両者の切り欠き部２の欠き先端辺２ａ、２ｂが移動し合い、２つの装飾用留め金具が係着できることになる。
【０００９】
図３は、その係着時の切り欠き部２の欠き先端辺２ａ、２ｂの突き合わせ状態を示している。これがもし、環状を描く面を含む平面が互いに直交する状態より角度がずれていれば（少しの角度のずれは許すが、例えば４５度以上ずれた場合などは）、両者の切り欠き部２の欠き先端辺２ａ、２ｂは、放射状乃至放物線状の辺を構成するどこかの面でぶつかり合ってしまい、それ以上、移動し合うことはできなくなる。従って２つの装飾用留め金具は係着、或いは外すことができなくなる。逆に言えば、そのような嵌め合わせを行わなければ、容易に係着させることはできず、また一旦係着させた場合、外れにくくなる。
【００１０】
また装飾用留め金具は、本体平面から見た場合、ほとんど出っ張りなどが無く、それ自身環状の装飾具として、装飾的効果が認められ、他の装飾具や色石などと組み合わされて用いても違和感なく装飾品そのものとして使用されることができることになる。その場合、上記環状体１ａは、平面方向から見て、他の装飾具や色石などと調和するように、円形を含む多角形状に構成されたものを適宜用いることができる（尚、環状部断面はどのような形状であってもかまわない）。
【考案の効果】
【００１１】
本考案の請求項１及び請求項２記載の装飾用留め金具によれば、留め金具の角度を合わせれば、非常に簡単に脱着することができるようになり、且つそれ自身装飾的効果のある装飾具して用いることが可能となるという優れた効果を奏し得る。
【考案を実施するための最良の形態】
【００１２】
以下、本考案の実施の形態を図示例と共に説明する。
図１は、本考案に係る装飾用留め金具の実施形態構成を示す説明図である。
【００１３】
同図に示すように、本考案に係る装飾用留め金具は、ネックレスチェーン３の留め金具として用いられるものであって、より具体的には、環状体１ａで構成され、その環状体本体１の一部に、互いに突き合わせるように切り欠き先端辺２ａ、２ｂが形成されることで、切り欠き部２が備えられており、その切り欠き部２の各切り欠き先端辺２ａ又は２ｂが、本体水平方向から見て、該切り欠き先端辺２ａ又は２ｂを中心として本体１に向けて放物線状の線を描くように形成されている。
【００１４】
このような環状体本体１は、後述する図４や図５に示すような他の装飾具４ａ〜４ｄと同じくプラチナや銀、金、その他の装飾用基材として用いられたものと略同様な材質でできており、また本実施形態構成では、これら他の装飾具４ａ〜４ｄと略同じ大きさの平面円環状に形成されている。しかも図１に示すように、その表面には余計な出っ張りがなく（切り欠き先端辺２ａ又は２ｂ部分の凹みは逆に装飾的なものとして単なる輪のアクセントになっている）、同図に示すように、ネックレスチェーン３の留め金具として用いられた際、他の装飾具４ａ〜４ｄと同じ、装飾具の１つに用いられるものとして認識されるため、ネックレスチェーン３には留め金具が無いように外見上見えることになる。
【００１５】
またこれらの留め金具同士の着脱は、図２に示すように（同図は丁度これから係着する状態を示している）、１つの環状本体１を水平に保ち、他方の環状本体１を略垂直にして、互いにその切り欠き部２同士を対向させた状態で突き合わせると、図３に示すように、水平に保たれた環状本体１の切り欠き部２と、垂直にされた環状本体１の切り欠き部２とが互いにクロスして、夫々の切り欠き先端辺２ａ又は２ｂが摺動した状態で移動し、そこを行きすぎることができる。そのため、両環状本体１は係着させることが可能となる。もちろん反対に、両環状本体１を外すためには、以上と逆の手順を実行することになる。
【００１６】
さらに、両環状本体１の相対的な傾きが、例えば４５度以上になると、その切り欠き部２同士を対向させた状態で突き合わせても、両者の欠き先端辺２ａ、２ｂは、放射状の辺を構成するどこかの面でぶつかり合ってしまい、それ以上、移動し合うことはできなくなる。従って２つの装飾用留め金具は係着、或いは外すことができなくなる。逆に言えば、上述のような嵌め合わせ（両環状本体１の相対的な傾きを略直角近くに設定）を行わなければ、容易に係着させることはできず、また一旦係着させた場合、両環状本体１の相対的な傾きを略直角近くに設定しなければ、外れにくくなる。
【００１７】
図４は、色石などをあしらった他の装飾具４ａ〜４ｄと一連に、本装飾用留め金具をその両端に２つずつ配して、ネックレスチェーン３の留め金具兼装飾具として用いた状態を示す説明図である。
【００１８】
図５は、図４の構成のうち、右側の方の２つの本装飾用留め金具を互いに外し、そのうち外側の方の留め金具を、左側２つのうちの内側の装飾用留め金具の方につなぎ変えた状態を示している。図４の状態とはつなぎ変えただけにも拘わらず、違った印象のアクセサリとして使用できることが分かる。
【００１９】
図６は、宝石４ｅと一連に装飾具として本装飾用留め金具１を使用した場合の一構成例が示されている。ここでは、装飾用留め金具１の表面に粒ダイヤが取り付けられている。
【００２０】
図７は、図６と同じく宝石４ｅと一連に装飾具として本装飾用留め金具１を使用した場合の構成例が示されているが、装飾具としてさらに、装飾用留め金具１の両側に、他の装飾具４ｆ及び４ｇが連結している状態の例である。
【００２１】
尚、本考案の装飾用留め金具は、上述の図示例にのみ限定されるものではなく、本考案の要旨を逸脱しない範囲内において種々変更を加え得ることは勿論である。例えば本実施例構成では、環状本体１として、平面円形状のものが用いられているが、これに限定されず、他の多角形状のものとしても良い。また本実施形態構成では、ネックレスチェーン３の留め金具として用いられているが、他の装飾品の留め金具として用いても良いことは言うまでもない（例えばレッグチェーンやボディチェーンなど）。
【産業上の利用可能性】
【００２２】
本考案に係る装飾用留め金具は、ネックレスチェーン、レッグチェーンやボディチェーン等の装飾具の留め金具として用いられる。またそのような使用において、留め金具自身が装飾用の対象となることも可能である。
【図面の簡単な説明】
【００２３】
【図１】本考案に係る装飾用留め金具の実施形態構成を示す説明図である。
【図２】本装飾用留め金具同士の着脱を行う場合の金具設定方法を示す説明図である。
【図３】両環状本体１の着脱時の切り欠き先端辺２ａ又は２ｂ同士が摺動する状態を示す説明図である。
【図４】他の装飾具４ａ〜４ｄと一連に、本装飾用留め金具をその両端に２つずつ配して、ネックレスチェーン３の留め金具兼装飾具として用いた状態を示す説明図である。
【図５】図４の構成のうち、一方の２つの本装飾用留め金具を互いに外し、そのうち一つの留め金具を、他方の２つのうちの内側の装飾用留め金具の方につなぎ変え、別の感じのするアクセサリとして用いた状態を示す説明図である。
【図６】宝石４ｅと一連に本装飾用留め金具を使用して、ネックレスチェーン３の留め金具兼装飾具として用いた状態を示す説明図である。
【図７】図６と同じく宝石４ｅと一連に装飾具として本装飾用留め金具１を使用した状態を示す説明図である。
【図８】ネックレスなどに使用される従来の装飾用留め金具の構成を示す説明図である。
【図９】同じく従来の他の装飾用留め金具の構成を示す説明図である。
【符号の説明】
【００２４】
１                      環状本体
１ａ                    環状体
２ａ、２ｂ              切り欠き先端辺
３                      ネックレスチェーン
４ａ〜４ｄ、４ｆ、４ｇ  装飾具
４ｅ                    宝石
５、６                  留め金具
５ａ                    中空金具本体
５ｂ                    閉鎖片
５ｃ                    Ｃ状部分
６ｂ                    係止孔
７                      弾性片
８                      係止本体
８ａ                    挿入口
【図１】
0003106570.tif 000003
【図２】
0003106570.tif 000004
【図３】
0003106570.tif 000005
【図４】
0003106570.tif 000006
【図５】
0003106570.tif 000007
【図６】
0003106570.tif 000008
【図７】
0003106570.tif 000009
【図８】
0003106570.tif 000010
【図９】
0003106570.tif 000011